(57)【特許請求の範囲】
【請求項１】
データの受信に応じて受信確認信号を返信する移動端末であって、
送信バッファ内における前記受信確認信号を含む送信データの量と滞留判定閾値とに基づいて、前記送信データが滞留しているか否か判定する判定手段と、
前記滞留判定閾値を下りリンクの伝送状態に応じて変更する変更手段と、
前記判定手段によって前記送信データが滞留していると判定された場合に、送信データが滞留している旨を示す送信データ滞留信号を基地局へ送信する送信手段と、
前記送信手段によって送信された前記送信データ滞留信号に応じて前記基地局から送信される情報に基づいて、前記基地局との間の上りリンクの伝送速度を増加させる送信回線制御手段と、
を備えることを特徴とする移動端末。
【請求項２】
前記変更手段は、下りリンクの伝送状態を示す値が所定値を超えた場合に、前記滞留判定閾値を下げることを特徴とする請求項１に記載の移動端末。
【請求項３】
前記変更手段は、下りリンクの伝送状態を示す値が所定時間に亘って所定値を超えた場合に、前記滞留判定閾値を下げることを特徴とする請求項１に記載の移動端末。
【請求項４】
移動端末と、前記移動端末と通信経路が確立された基地局と、を含んで構成された通信システムであって、
前記移動端末は、データの受信に応じて受信確認信号を返信する移動端末であって、
送信バッファ内における前記受信確認信号を含む送信データの量と滞留判定閾値とに基づいて、前記送信データが滞留しているか否か判定する判定手段と、
前記滞留判定閾値を下りリンクの伝送状態に応じて変更する変更手段と、
前記判定手段によって前記送信データが滞留していると判定された場合に、送信データが滞留している旨を示す送信データ滞留信号を基地局へ送信する送信手段と、
前記送信手段によって送信された前記送信データ滞留信号に応じて前記基地局から送信される情報に基づいて、前記基地局との間の上りリンクの伝送速度を増加させる送信回線制御手段と、を備え、
前記基地局は、前記送信データ滞留信号を前記移動端末から受信した場合に、前記移動端末との間の上りリンクの伝送速度を前記移動端末と協働して増加させることを特徴とする通信システム。
【請求項５】
データの受信に応じて受信確認信号を返信する移動端末における制御方法であって、
変更手段が、送信バッファにおいて送信データが滞留しているか否か判定を行うための滞留判定閾値を下りリンクの伝送状態に応じて変更する変更ステップと、
判定手段が、前記送信バッファ内における前記受信確認信号を含む送信データの量と前記滞留判定閾値とに基づいて、前記バッファにおいて送信データが滞留しているか否か判定する判定ステップと、
送信手段が、前記判定ステップにおいて前記送信データが滞留していると判定された場合に、送信データが滞留している旨を示す送信データ滞留信号を基地局へ送信する送信ステップと、
送信回線制御手段が、前記送信ステップにおいて送信された前記送信データ滞留信号に応じて前記基地局から送信される情報に基づいて、前記基地局との間の上りリンクの伝送速度を増加させる送信回線制御ステップと、
を備えることを特徴とする制御方法。
【発明の詳細な説明】
【技術分野】
【０００１】
本発明は、データの受信に応じて受信確認信号を返信する移動端末、その移動端末を含む通信システム、及びその移動端末における制御方法に関する。
【背景技術】
【０００２】
下記特許文献１には、ユーザデータを送信する送信側移動端末について記載されている。その送信側移動端末は、ユーザデータを送信すると、再送用のユーザデータとして送信したユーザデータを送信バッファに格納し、受信側移動端末から送信された受信確認信号を受信すると、送信バッファに格納した再送用のユーザデータを削除する。
【特許文献１】特開２００６−２７９４３６号公報
【発明の開示】
【発明が解決しようとする課題】
【０００３】
ところで、送信側移動端末の上りリンクと受信側移動端末の下りリンクの品質が良い場合に、ユーザデータは、再送を行う必要がない等の理由から送信速度が高くなる。また、ＨＳＤＰＡ（High Speed Downlink Packet Access）移動通信システムでは、下りリンクの品質が良い場合に、下りリンクで送信するデータ量を増加させるので、ユーザデータの送信速度が高くなる。
【０００４】
送信側移動端末から受信側移動端末までのデータ送信速度が高く、受信側移動端末において受信データが増加すると、受信側移動端末から返信される受信確認信号の送信が増加する。そして、受信側移動端末において上りリンクの送信速度の上限に達すると、受信確認信号が滞留する。受信確認信号が滞留すると、送信側移動端末では、受信確認信号が受信できないために、再送用のユーザデータを送信バッファから削除できない。
【０００５】
これにより、送信側移動端末では、新たに送信するユーザデータを送信バッファに入力できないために、ユーザデータの送信が滞る。結果として、送信側移動端末から受信側移動端末までの上りリンクの品質が良い場合であっても、ユーザデータの送信速度が低下する。特に、ＨＳＤＰＡ移動通信システムでは、受信側移動端末へ繋がる下りリンクにおいて送信データ量を増加するように制御しているにもかかわらず、ユーザデータの送信速度が頭打ちとなってしまう。
【０００６】
そこで本発明は、上記問題点を解消する為に、受信確認信号の滞留を防止することが可能な移動端末、通信システム、及び制御方法を提供することを目的とする。
【課題を解決するための手段】
【０００７】
本発明の移動端末は、データの受信に応じて受信確認信号を返信する移動端末であって、送信バッファ内における前記受信確認信号を含む送信データの量と滞留判定閾値とに基づいて、前記送信データが滞留しているか否か判定する判定手段と、前記滞留判定閾値を下りリンクの伝送状態に応じて変更する変更手段と、前記判定手段によって前記送信データが滞留していると判定された場合に、送信データが滞留している旨を示す送信データ滞留信号を基地局へ送信する送信手段と、前記送信手段によって送信された前記送信データ滞留信号に応じて前記基地局から送信される情報に基づいて、前記基地局との間の上りリンクの伝送速度を増加させる送信回線制御手段と、を備えることを特徴とする。
【０００８】
本発明の通信システムは、移動端末と、前記移動端末と通信経路が確立された基地局と、を含んで構成された通信システムであって、前記移動端末は、データの受信に応じて受信確認信号を返信する移動端末であって、送信バッファ内における前記受信確認信号を含む送信データの量と滞留判定閾値とに基づいて、前記送信データが滞留しているか否か判定する判定手段と、前記滞留判定閾値を下りリンクの伝送状態に応じて変更する変更手段と、前記判定手段によって前記送信データが滞留していると判定された場合に、送信データが滞留している旨を示す送信データ滞留信号を基地局へ送信する送信手段と、前記送信手段によって送信された前記送信データ滞留信号に応じて前記基地局から送信される情報に基づいて、前記基地局との間の上りリンクの伝送速度を増加させる送信回線制御手段と、を備え、前記基地局は、前記送信データ滞留信号を前記移動端末から受信した場合に、前記移動端末との間の上りリンクの伝送速度を前記移動端末と協働して増加させることを特徴とする。
【０００９】
本発明の制御方法は、データの受信に応じて受信確認信号を返信する移動端末における制御方法であって、変更手段が、送信バッファにおいて送信データが滞留しているか否か判定を行うための滞留判定閾値を下りリンクの伝送状態に応じて変更する変更ステップと、判定手段が、前記送信バッファ内における前記受信確認信号を含む送信データの量と前記滞留判定閾値とに基づいて、バッファにおいて送信データが滞留しているか否か判定する判定ステップと、送信手段が、前記判定ステップにおいて前記送信データが滞留していると判定された場合に、送信データが滞留している旨を示す送信データ滞留信号を基地局へ送信する送信ステップと、送信回線制御手段が、前記送信ステップにおいて送信された前記送信データ滞留信号に応じて前記基地局から送信される情報に基づいて、前記基地局との間の上りリンクの伝送速度を増加させる送信回線制御ステップと、を備えることを特徴とする。
【００１０】
本発明によれば、変更手段が下りリンクの伝送状態に応じて滞留判定閾値を変更するので、判定手段は下りリンクの伝送状態に応じて送信データが滞留しているか否か判定することとなる。そして、送信データが滞留していると判定された場合に、送信手段が送信データ滞留信号を基地局へ送信するので、送信回線制御手段が基地局と協働して、基地局との間の上りリンクの伝送速度を増加させることなる。すなわち、下りリンクの伝送状態に応じて基地局との間の上りリンクの送信データを増加することができる。よって、下りリンクの品質が良いために受信データが増加して、受信確認信号の送信が増加した場合であっても、受信確認信号が滞留することを防止できる。
【００１１】
好ましくは、変更手段は、下りリンクの伝送状態を示す値が所定値を超えた場合に、滞留判定閾値を下げる。この場合、変更手段が下りリンクの伝送状態が良い場合に滞留判定閾値を下げることとなる。よって、判定手段は、下りリンクの伝送状態が良い場合ほど、送信データが滞留していると判定し易くなる。そして、送信データが滞留していると判定された場合に、送信手段が送信データ滞留信号を基地局へ送信するので、送信回線制御手段が基地局と協働して、基地局との間の上りリンクの伝送速度を増加させることなる。すなわち、下りリンクの伝送状態が良い場合ほど、基地局との間の上りリンクの送信データを増加することができる。よって、下りリンクの伝送状態が良いために受信データが増加して、受信確認信号の送信が増加した場合であっても、受信確認信号が滞留することを防止できる。
【００１２】
好ましくは、変更手段は、下りリンクの伝送状態を示す値が所定時間に亘って所定値を超えた場合に、滞留判定閾値を下げる。この場合、変更手段が、下りリンクの伝送状態が良い状態で安定した場合に滞留判定閾値を下げることとなる。よって、判定手段は、下りリンクの伝送状態が良い状態に安定すると、送信データが滞留していると判定し易くなる。そして、送信データが滞留していると判定された場合に、送信手段が送信データ滞留信号を基地局へ送信するので、送信回線制御手段が基地局と協働して、基地局との間の上りリンクの伝送速度を増加させることなる。すなわち、下りリンクの伝送状態が良い状態に安定すると、基地局との間の上りリンクの送信データを増加することができる。よって、下りリンクの伝送状態が良い状態に安定することにより、受信データが増加して、受信確認信号の送信が増加した場合であっても、受信確認信号が滞留することを防止できる。
【発明の効果】
【００１３】
本発明の移動端末及び制御方法によれば、受信確認信号の滞留を防止することができる。よって、送信側移動端末から受信側移動端末までの通信経路の伝送状態が良い場合に、受信確認信号が滞留することを防止して、ユーザデータの送信速度が低下すること、又は、ユーザデータの送信速度の上昇が頭打ちになってしまうことを防止できる。
【発明を実施するための最良の形態】
【００１４】
以下、添付図面を参照して、本発明にかかる受信側移動端末（移動端末）、通信システム、及び制御方法の好適な実施形態について説明する。
【００１５】
図１は、本実施形態に係る受信側移動端末を含む通信システムの構成を示す図である。通信システムＳは、受信側移動端末１、受信側移動端末１と通信経路が確立された基地局５、送信側移動端末３、送信側移動端末３と通信経路が確立された基地局７、及び無線制御装置９を含んで構成された移動体通信システムである。
【００１６】
本実施形態に係る受信側移動端末１は、送信側移動端末３によって送信されるユーザデータを受信する端末である。受信側移動端末１及び送信側移動端末３は、携帯電話、ＰＨＳ（Personal Handy-phone System）、ＰＤＡ（Personal Digital Assistant）等の無線通信端末である。
【００１７】
通信システムＳは、ＴＣＰ／ＩＰ通信を取り扱っている。通信システムＳにおけるＴＣＰ／ＩＰ通信では、受信側移動端末１において送信側移動端末３からユーザデータ（パケット）を受信すると、受信量に応じて受信確認信号を送信側移動端末３へ返信する。送信側移動端末３では、送信したデータを再送用データとして送信バッファ内に格納し、受信確認信号を受信側移動端末１から受信すると、該当する再送用データを送信バッファから削除する。
【００１８】
通信システムＳは、ＨＳＤＰＡ移動通信システムである。ＨＳＤＰＡ移動通信システムでは、移動端末（受信側移動端末１）が下りリンクの品質情報を基地局（基地局５）へ送信し、基地局（基地局５）は、受信した品質情報に基づいて下りリンクで送信するデータ量を調節する。従って、通信システムＳでは、下りリンクの品質が良ければ良いほど下りリンクを介して送信するデータ量を増やし、下りリンクの品質が悪ければ悪いほど下りリンクを介して送信するデータ量を減らす。
【００１９】
通信システムＳにおいて、基地局（基地局５）は、送信バッファに送信データが滞留している量が多い旨を示す送信データ滞留信号を移動端末（受信側移動端末１）から受信すると、上りリンクの伝送リソースに余裕がある場合、上りリンクの伝送リソースを増加させて、上りリンクの伝送速度を増加させる。
【００２０】
続いて、基地局５について説明する。基地局５は、受信機５１、データ復調部５２、品質情報復調部５３、品質情報変換部５４、データ変調部５５、及び送信機５６を備える。
【００２１】
受信側移動端末１から上りリンクＬ１を介して送信されたデータ（受信確認信号）は、受信機５１によって受信される。受信機５１によって受信されたデータは、データ復調部５２によって復調され、無線制御装置９へ送信される。受信機５１によって受信されたデータのうち品質情報を示すデータは、品質情報復調部５３によって復調され、品質情報変換部５４によって変換される。
【００２２】
無線制御装置９から送信されたデータは、データ変調部５５によってそれぞれ変調され、送信機５６によって、下りリンクＬ２を介して受信側移動端末１へそれぞれ送信される。データ変調部５５によるデータの変調は、品質情報変換部５４によって変換された品質情報を参照して行われる。
【００２３】
基地局７は、基地局５と同様な構成を有している。送信側移動端末３から上りリンクＬ３を介して送信されたデータは、基地局７において受信され、復調されて無線制御装置９へ送信される。無線制御装置９から送信されたデータは、基地局７において変調されて下りリンクＬ４を介して送信側移動端末３へ送信される。
【００２４】
無線制御装置９は、基地局５,７を制御して、受信側移動端末１及び送信側移動端末３と基地局５,７との間の通信を制御する機能を有する。無線制御装置９は、受信側移動端末１から送信された送信データ滞留信号を基地局５から受信すると、受信した送信データ滞留信号を解析する。そして、無線制御装置９は、基地局５と受信側移動端末１との間の上りリンクＬ１において無線回線帯域を拡大する旨の信号を、基地局５宛に送信する。そして、基地局５と受信側移動端末１とが、協働して上りリンクＬ１の伝送リソースを増加させる。
【００２５】
引き続いて、本実施形態に係る受信側移動端末１について説明する。図２は、本実施形態に係る受信側移動端末の機能的な構成要素を示すブロック図である。受信側移動端末１は、受信機１１、伝送速度情報復調部１２、ユーザデータ復調部１３、外部インターフェイス１４、品質測定部１５、ＣＱＩテーブル１６、品質情報処理部１７、送信機１８、ユーザデータ処理部１９、ユーザデータ変調部２１、判定部２２、送信回線制御部２３、及び閾値変更部２４を備える。
【００２６】
受信機１１は、受信用アンテナを備えて、基地局５から下りリンクＬ２を介して送信されたデータを受信する。伝送速度情報復調部１２は、受信機１１によって受信されたデータに含まれる伝送速度情報を復調する。
【００２７】
ユーザデータ復調部１３は、受信機１１によって受信されたデータに含まれるユーザデータを復調する。ユーザデータ復調部１３は、伝送速度情報復調部１２によって復調された伝送速度情報を参照してユーザデータを復調する。ユーザデータ復調部１３は、復調したユーザデータを外部インターフェイス１４へ出力する。外部インターフェイス１４は、ディスプレイ等であって、入力したユーザデータを表示する。
【００２８】
品質測定部１５は、受信機１１によって受信したデータに基づいて、下りリンクＬ２の品質を測定する。品質測定部１５は、下りリンクの品質を示す測定値と、ＣＱＩ（Channel Quality Indicator）テーブル１６の値とを参照して、品質情報を生成する。品質測定部１５は、生成した品質情報を品質情報処理部１７へ出力する。例えば、品質測定部１５は、基地局５から送信される所定のパイロット信号を受信して下りリンクＬ２の品質を測定する。具体的には、品質測定部１５は、受信電力と干渉電力とを測定する。そして、受信電力の測定値と干渉電力の測定値との比（ＳＩＲ）を下りリンクＬ２の品質を示す測定値とする。そして、品質測定部１５は、ＣＱＩテーブル１６を参照して、測定値を規格化して品質情報を生成する。品質情報処理部１７は、入力された品質情報を送信用に変換して送信機１８へ出力する。
【００２９】
送信機１８は、入力された品質情報を基地局５へ送信する。この品質情報に応じて、無線制御装置９の制御のもとに、基地局５と受信側移動端末１との間の下りリンクＬ２における送信データ量が調整される。
【００３０】
ユーザデータ処理部１９は、データを送信用に変換処理する。また、ユーザデータ処理部１９は、データの受信に応じて受信確認信号を生成する。受信確認信号は、受信データ量の増加に依存して増加する。ユーザデータ処理部１９は、送信バッファ２０を有している。送信バッファ２０に、送信用の変換処理対象となるデータが入力されることとなる。ユーザデータ処理部１９は、送信バッファ２０内のデータを処理し、送信バッファ２０の容量以上のデータ量は処理することができない。
【００３１】
ユーザデータ処理部１９は、変換処理したデータをユーザデータ変調部２１へ出力する。ユーザデータ変調部２１は、データを変調して送信機１８へ出力する。
【００３２】
判定部２２は、送信バッファ２０内の送信データ量と滞留判定閾値とに基づいて送信データが滞留しているか否か判定する。判定部２２は、送信バッファ２０内の送信データ量が滞留判定閾値を超えた場合に送信データが滞留していると判定する。判定部２２は、送信データが滞留していると判定した場合に、送信データ滞留信号を生成してユーザデータ処理部１９へ出力する。
【００３３】
ユーザデータ処理部１９へ出力された送信データ滞留信号は、ユーザデータ変調部２１において変調され、送信機１８によって基地局５へ送信される。すなわち、送信バッファ２０内の送信データ量が滞留判定閾値を超えた場合に、送信データ滞留信号が基地局５へ送信される。基地局５は、送信データ滞留信号を受信すると、無線制御装置９による制御のもとに、上りリンクＬ１の無線回線帯域を増加させるための回線制御信号を受信側移動端末１へ送信する。
【００３４】
送信回線制御部２３は、受信機１１から入力した回線制御信号に基づいて回線を制御することにより、基地局５と協働して上りリンクＬ１の送信速度を増加させる。送信回線制御部２３は、上りリンクＬ１の送信速度を増加させるために、上りリンクＬ１に割り当てる伝送リソースを増加させる。伝送リソースとして、例えば、送信電力、時間、回線周波数帯域、コードリソース等がある。
【００３５】
閾値変更部２４は、品質測定部１５によって測定された下りリンクＬ２の品質情報に応じて、滞留判定閾値を変更する。閾値変更部２４は、品質情報が示す品質値が所定値を超えた場合に、滞留判定閾値を下げる。
【００３６】
以上説明した受信側移動端末１の機能と同様な機能を送信側移動端末３は有している。
【００３７】
図３を参照して、受信側移動端末１と送信側移動端末３が備える送信バッファについて説明する。図３は、送信バッファを説明するための概念図である。送信バッファＢ１内に送信待ちデータがある。矢印Ｂ２は、送信データの流れを示す。破線Ｂ３は、滞留判定閾値を示す。
【００３８】
送信側移動端末３の送信バッファにおける送信待ちデータは、これから送信するユーザデータと、既に送信したユーザデータの再送用データである。再送用データは、受信確認信号を受信した場合に削除されるので、受信確認信号の受信効率が高いと、再送用データが効率よく削除される。この場合、送信バッファ内に新たに送信するユーザデータを効率良く入力することができる。
【００３９】
本実施形態では、受信側移動端末１の送信バッファにおける送信待ちデータは、受信確認信号又は送信データ滞留信号である。受信側移動端末１において、閾値変更部２４が滞留判定閾値を下げると、送信データが滞留していると判定しやすくなる。すなわち、送信待ちデータ量に対して、下りリンクの無線回線帯域を増加させ易くなる。
【００４０】
上述した受信側移動端末１の機能は、ハードウェア資源を用いて実現される。図４は、本実施形態に係る受信側移動端末のハードウェア構成図である。受信側移動端末１は、物理的には、ＣＰＵ１０１、主記憶装置であるＲＡＭ１０２及びＲＯＭ１０３、ハードディスク等の補助記憶装置１０５、入力デバイスであるキーボード及びマウス等の入力装置１０６、ディスプレイ等の出力装置１０７、ネットワークカード等のデータ送受信デバイスである通信モジュール１０４などを含むコンピュータシステムとして構成されている。
【００４１】
図２において説明した各機能は、図４に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。なお、入力装置１０６及び出力装置１０７は、外部インターフェイス１４として機能する。
【００４２】
引き続き、受信側移動端末１及び通信システムＳの動作を説明すると共に、本実施形態に係る制御方法について説明する。図５は、本実施形態に係る受信側移動端末及び通信システムの動作を示すシーケンス図である。
【００４３】
ユーザデータの送信が、送信側移動端末３によって開始され（ステップＳ１）、受信側移動端末１によるユーザデータの受信が開始される。ユーザデータの受信に応じて、受信確認信号の送信が、受信側移動端末１によって開始される（テップＳ２）。送信側移動端末３においては、ユーザデータを送信すると共に、受信した受信確認信号に対応する再送用のユーザデータを送信バッファから削除する。
【００４４】
ユーザデータが受信側移動端末１によって受信されると、下りリンクＬ２の品質が、品質測定部１５によって測定さる（ステップＳ３）。すると、品質測定部１５による測定値（品質値ｐ）が、受信側移動端末１から基地局５へ送信される（ステップＳ４）。下りリンクＬ２の品質値ｐが基地局５において受信されると、品質値ｐに応じて、下りリンクＬ２のデータ送信量が基地局５によって制御される（ステップＳ５）。
【００４５】
受信側移動端末１においては、測定された品質値ｐが所定値Ｐより大きいか否かに基づいて、下りリンクＬ２の品質が良いか否か閾値変更部２４によって判断される（ステップＳ６）。測定された品質値ｐが所定値Ｐ以下の場合（ステップＳ６でＮｏ）、ステップＳ８へ進む。測定された品質値ｐが所定値Ｐより大きい場合（ステップＳ６でＹｅｓ）、滞留判定閾値が、閾値変更部２４によって下げられ（ステップＳ７；変更ステップ）、ステップＳ８へ進む。
【００４６】
ステップＳ８では、送信バッファ２０内の送信データ量と滞留判定閾値とに基づいて、送信データが滞留しているか否か、判定部２２によって判定される（判定ステップ）。送信データが滞留していないと判定された場合（ステップＳ８でＮｏ）は、ステップＳ３に戻り、再び下りリンクの品質の測定を行う。
【００４７】
送信データが滞留していると判定された場合（ステップＳ８でＹｅｓ）は、送信データ滞留信号が送信機１８によって受信側移動端末１から基地局５へ送信される（ステップＳ９；送信ステップ）。送信データ滞留信号が送信されると、基地局５から無線回線帯域を増加させるための信号が受信側移動端末１へ送信され、無線回線帯域が、基地局５と送信回線制御部２３との協働により増加される（ステップＳ１０；回線制御ステップ）。
【００４８】
このように、ステップＳ４における下りリンクの品質の測定結果が良い場合、基地局５によって下りリンクの送信データ量が増加される。これにより、受信側移動端末１における受信データ量が増加し、受信確認信号の送信が増加する。本実施形態の受信側移動端末１では、下りリンクの品質の測定結果が良い場合に、滞留判定閾値を下げるので、送信バッファ内のデータ量に対して、送信データが滞留していると判定され易くなる。よって、送信データ滞留信号を送信することとなるので、無線回線帯域を増加することとなる。これにより、受信確認信号が増加した場合であっても、受信側移動端末１において滞留することを抑制できる。
【００４９】
滞留判定閾値の変更方法について図６を参照してより詳細に説明する。図６は、本実施形態に係る滞留判定閾値の変更手順を示すフローチャートである。
【００５０】
最初は、変数ｍが定数Ａに設定され（ステップＳ１１）、滞留判定閾値ｘは変数ｍに設定される（ステップＳ１２）。続いて、データの受信に応じて、下りリンクＬ２の品質値ｐが品質測定部１５によって測定される（ステップＳ１３）。
【００５１】
測定された品質値ｐが所定値Ｐ以下の場合（ステップＳ１３でＮｏ）は、滞留判定閾値の変数ｍは定数Ａに保たれる（ステップＳ１５）。測定された品質値ｐが所定値Ｐより大きい場合（ステップＳ１３でＹｅｓ）は、滞留判定閾値の変数ｍは、定数δだけ下げられ、定数（Ａ−δ）となる（ステップＳ１６）。
【００５２】
品質値ｐと所定値Ｐとに基づいて滞留判定閾値が設定され、電源がＯＮの場合（ステップＳ７でＹｅｓ）は、ステップＳ１２に戻る。電源がＯＦＦの場合（ステップＳ７でＮｏ）は、一連の処理を終了する。
【００５３】
以上説明したように、本実施形態の受信側移動端末１及び制御方法によれば、閾値変更部２４が下りリンクＬ２の品質に応じて滞留判定閾値を変更するので、判定部２２は下りリンクＬ２の品質に応じて送信データが滞留しているか否か判定することとなる。送信データが滞留していると判定された場合に、送信機１８が送信データ滞留信号を基地局５へ送信するので、送信回線制御部２３が基地局５と協働して、基地局５との間の伝送リソースを増加させることなる。すなわち、下りリンクＬ２の品質に応じて基地局５との間の上りリンクＬ１の送信データを増加することができる。よって、下りリンクＬ２の品質が良いために受信データが増加して、受信確認信号の送信が増加した場合であっても、受信確認信号が滞留することを防止できる。
【００５４】
本実施形態の受信側移動端末１では、下りリンクの品質が良い場合に、閾値変更部２４が滞留判定閾値を下げる。よって、下りリンクの品質が良い場合に、送信データが滞留していると判断され易くなる。
【００５５】
例えば、受信側移動端末１が受信状態の良い環境に移動し、下りリンクＬ２の品質が良いと品質測定部１５によって判定され、基地局５から下りリンクＬ２を介して送信されるデータ量が増加される。すると、受信側移動端末１から送信側移動端末３へ送信される受信確認信号の量が増加する。
【００５６】
この場合、従来の技術では、上りリンクＬ１の伝送速度の上限により受信確認信号の送信が停滞する。よって、送信側移動端末３では受信確認信号の受信が停滞して、送信側移動端末３の送信バッファ内において再送用データが占める割合が多くなり、新たに送信するユーザデータの量が減少する。これにより、受信側移動端末１における下りリンクＬ２のデータ量が増加するように設定されているのにもかかわらず、送信側移動端末３から受信側移動端末１への送信速度を上げることができない。
【００５７】
それに対して本実施形態の受信側移動端末１及び制御方法では、受信側移動端末１が受信状態の良い環境に移動し、下りリンクＬ１の品質が良いと品質測定部１５によって判定され、滞留判定閾値が閾値変更部２４によって下げられるので、送信データが滞留していると判断され易くなる。よって、送信データ滞留信号が基地局５へ送信され、送信回線制御部２３が基地局５と協働して、上りリンクＬ１の伝送リソースを増加させることなる。これにより、受信確認信号の送信が停滞することを防止できる。よって、送信側移動端末から受信側移動端末までの通信経路の品質が良い場合に、受信確認信号が滞留することを防止して、ユーザデータの送信速度が低下すること、又は、ユーザデータの送信速度の上昇が頭打ちになってしまうことを防止できる。
【００５８】
本発明は、上記実施形態に限定されるものではなく、種々の変形が可能である。上記実施形態では、閾値変更部２４は、下りリンクＬ２の品質情報に応じて滞留判定閾値を変更するとしたが、これに限られない。例えば、閾値変更部２４は、下りリンクＬ２の品質情報に替えて、下りリンクＬ２の伝送速度に応じて滞留判定閾値を変更してもよい。この場合、下りリンクＬ２の伝送速度を測定する機能を受信側移動端末１が備える必要がある。本発明の受信側移動端末１が備える閾値変更部２４は、下りリンクＬ２の品質情報又は伝送速度等によって示される伝送状態に応じて滞留判定閾値を変更すればよい。
また、閾値変更部２４は、下りリンクＬ２の品質を示す品質値が所定時間に亘って所定値を超えた場合に、滞留判定閾値を下げることとしてもよい。この第１の変形例について図７を参照して説明する。図７は、本実施形態に係る滞留判定閾値の変更手順の第１の変形例を示すフローチャートである。
【００５９】
最初は、変数ｍは定数Ａに設定され（ステップＳ２１）、時間ｔは０に設定される（ステップＳ２２）。そして、滞留判定閾値ｘは変数ｍに設定される（ステップＳ２３）。
【００６０】
データが受信されると、上りリンクの品質値ｐが品質測定部１５によって測定され（ステップＳ２４）、時間ｔに１が加算される（ステップＳ２５）。測定された品質値ｐが所定値Ｐ以下の場合（ステップＳ２６でＮｏ）は、滞留判定閾値の変数ｍは定数Ａに保たれる（ステップＳ２７）。
【００６１】
測定された品質値ｐが所定値Ｐより大きい場合（ステップＳ２６でＹｅｓ）であって、時間ｔが所定時間Ｔより大きい場合（ステップＳ２８でＹｅｓ）は、滞留判定閾値の変数ｍは、定数δだけ下げられ、定数（Ａ−δ）となる（ステップＳ２９）。
【００６２】
測定された品質値ｐが所定値Ｐより大きい場合（ステップＳ２６でＹｅｓ）であっても、時間ｔが所定時間Ｔ以下である場合（ステップＳ２８でＮｏ）は、ステップＳ２４へ戻る。滞留判定閾値が設定され、電源がＯＮの場合（ステップＳ３０でＹｅｓ）は、ステップＳ２２に戻る。電源がＯＦＦの場合（ステップＳ３０でＮｏ）は、一連の処理を終了する。
【００６３】
このように、下りリンクＬ２の品質を示す品質値が所定時間に亘って所定値を超えた場合に、滞留判定閾値を下げることにより、下りリンクＬ２の品質が良い状態に安定した場合に、滞留判定閾値を下げることなる。よって、滞留判定閾値を安定して制御することができる。
【００６４】
また、閾値変更部２４は、下りリンクＬ２の品質を示す品質値が第１の所定時間Ｔ１に亘って所定値を超えた場合に、滞留判定閾値を下げて、第２の所定時間Ｔ２後に滞留判定閾値を初期値に戻すようにしてもよい。この第２の変形例について図８を参照して説明する。図８は、本実施形態に係る滞留判定閾値の変更手順の第２の変形例を示すフローチャートである。
【００６５】
最初は、変数ｍは定数Ａ（初期値）に設定され（ステップＳ３１）、時間ｔ１,ｔ２は０に設定される（ステップＳ３２）。そして、滞留判定閾値ｘは変数ｍ（初期値Ａ）に設定される（ステップＳ３３）。
【００６６】
データが受信されると、下りリンクＬ２の品質値ｐが品質測定部１５によって測定され（ステップＳ３４）、時間ｔ１に１が加算され（ステップＳ３５）、時間ｔ２に１が加算される（ステップＳ３６）。
【００６７】
時間ｔ２が第２の所定時間Ｔ２より大きい場合（ステップＳ３７でＹｅｓ）、滞留判定閾値の変数ｍは定数Ａに保たれる（ステップＳ３８）。
【００６８】
時間ｔ２が第２の所定時間Ｔ２以下の場合（ステップＳ３７でＮｏ）であって、測定された品質値ｐが所定値Ｐ以下の場合（ステップＳ３９でＮｏ）は、滞留判定閾値の変数ｍは定数Ａに保たれる（ステップＳ３８）。
【００６９】
時間ｔ２が第２の所定時間Ｔ２以下の場合（ステップＳ３７でＮｏ）であって、測定された品質値ｐが所定値Ｐより大きい場合（ステップＳ３９でＹｅｓ）であって、時間ｔ１が第１の所定時間Ｔ１より大きい場合（ステップＳ４０でＹｅｓ）は、滞留判定閾値の変数ｍは、定数δだけ下げられ、定数（Ａ−δ）となる（ステップＳ４１）。
【００７０】
時間ｔ２が第２の所定時間Ｔ２以下の場合（ステップＳ３７でＮｏ）であって、測定された品質値ｐが所定値Ｐより大きい場合（ステップＳ３９でＹｅｓ）であっても、時間ｔ１が第１の所定時間Ｔ１以下である場合（ステップＳ４０でＮｏ）は、ステップＳ３４へ戻る。
【００７１】
滞留判定閾値が設定され、電源がＯＮの場合（ステップＳ４２でＹｅｓ）は、ステップＳ２２に戻る。電源がＯＦＦの場合（ステップＳ４２でＮｏ）は、一連の処理を終了する。このようにすることにより、滞留判定閾値を自動的に初期値に戻すことができる。
【図面の簡単な説明】
【００７２】
【図１】本実施形態に係る受信側移動端末を含む通信システムの構成を示す図である。
【図２】本実施形態に係る受信側移動端末の機能的な構成要素を示すブロック図である。
【図３】送信バッファを説明するための概念図である。
【図４】本実施形態に係る受信側移動端末のハードウェア構成図である。
【図５】本実施形態に係る受信側移動端末及び通信システムの動作を示すシーケンス図である。
【図６】本実施形態に係る滞留判定閾値の変更手順を示すフローチャートである。
【図７】本実施形態に係る滞留判定閾値の変更手順の第１の変形例を示すフローチャートである。
【図８】本実施形態に係る滞留判定閾値の変更手順の第２の変形例を示すフローチャートである。
【符号の説明】
【００７３】
１…受信側移動端末（移動端末）、３…送信側移動端末、５,７…基地局、１５…品質測定部、１８…送信機（送信手段）、２０…送信バッファ、２２…判定部（判定手段）、２３…送信回線制御部（送信回線制御手段）、２４…閾値変更部（変更手段）、Ｌ２…下りリンク、Ｓ…通信システム。
【図１】
0004554658.tif 000002
【図２】
0004554658.tif 000003
【図３】
0004554658.tif 000004
【図４】
0004554658.tif 000005
【図５】
0004554658.tif 000006
【図６】
0004554658.tif 000007
【図７】
0004554658.tif 000008
【図８】
0004554658.tif 000009